(57)【要約】本発明は、輸送中の貨物への接近を防止するためのカーゴネットをパレットに固定するための方法及び固定部材を開示する。１つの例示的な実施形態は、アンカー、保持リング及びケーブルタイを有する固定部材を提供する。アンカーは、ベース部材、ボルト及びばねを含む。保持リングは、カーゴネットとベース部材の両方に固定する。ケーブルタイは、ボルトとベース部材とを一体に固定し、ボルトがベース部材から移動することを防止する。このようにして、アンカー又はパレットを破壊することなく、アンカーがパレットから取り外されることを防止する。【選択図】    図１ａ
2021502311.tif 000002
【特許請求の範囲】
【請求項１】
アンカーであって、
第１の穴及び第２の穴を有するネック、第３の穴を有する本体、及びパレットに形成された溝に滑り込む２つの足を有するベース部材と、
ヘッド及び前記ヘッドから外向きに延びて、前記ネックを受容する間隙を形成する２つの平行な突起部を有し、各前記突起部に第４の穴を有するボルトと、
前記ネックの前記第１の穴内に配置され、前記ベース部材が前記溝内で滑動することを防止する固定位置と前記ベース部材が前記溝内で滑動する非固定位置との間で前記ボルトを付勢するばねと、を含むアンカーと、
カーゴネットと前記ベース部材の前記本体の前記第３の穴の両方に係止する保持リングと、
前記ベース部材の前記第２の穴と前記ボルトの前記第４の穴を通って嵌合し、前記ボルトが前記固定位置から前記非固定位置に移動することを防止するケーブルタイと、を含む、カーゴネットをパレットに固定する固定部材。
【請求項２】
前記ボルトが前記固定位置にある場合、前記ボルトの前記第４の穴は、前記ベース部材の前記第２の穴と一列に整列する、請求項１に記載の固定部材。
【請求項３】
前記ボルトが前記非固定位置にある場合、前記ばねは圧縮位置にあり、前記ボルトが前記固定位置にある場合、前記ばねは非圧縮位置にある、請求項１に記載の固定部材。
【請求項４】
前記ケーブルタイは自動固定式であり、前記ケーブルタイを破壊しなければ、係脱することができない、請求項１に記載の固定部材。
【請求項５】
前記保持リングは自動固定式であり、前記保持リングを破壊しなければ、係脱することができない、請求項１に記載の固定部材。
【請求項６】
前記ばねは、側面視で長方形の形状であり、前記ベース部材の前記第１の穴は、側面視で長方形の形状であり、前記ばねの前記長方形の形状は、前記第１の穴の前記長方形の形状内に嵌合する、請求項１に記載の固定部材。
【請求項７】
前記アンカーは、前記ばねの一端が前記第１の穴に隣接する上端に対して係合し、前記ばねの他端が前記ピンに対して係合するように、前記ボルトの第５の穴を通って嵌合するピンをさらに含む、請求項１に記載の固定部材。
【請求項８】
前記ボルト、前記ばね及び前記ベース部材は、前記アンカーを破壊しなければ、分離又は取り外しできないように互いに接続する、請求項７に記載の固定部材。
【請求項９】
前記ケーブルタイが結束された後、前記ケーブルタイを破壊しなければ、前記ボルトと前記ベース部材とを分離することができない、請求項１に記載の固定部材。
【請求項１０】
前記２つの平行な突出部は、外向きに突出する外壁を含み、前記ボルトが固定位置にある場合、外壁は、前記パレットと係合して前記アンカーが前記パレットの溝内で移動することを防止し、前記ボルトが前記非固定位置にある場合、前記アンカーが前記溝内で滑動することを可能にする、請求項１に記載の固定部材。
【請求項１１】
前記パレットに取り外し可能に固定するアンカーであって、
２つの対向する側壁から延びる２つの足、第１の穴、第２の穴、及び第３の穴を有するベース部材と、 
その間に間隙を形成し、かつ前記ベース部材を滑動可能に受容する２つの離間した突起部を有し、各前記突起部上に第４の穴を有するボルトと、
前記ベース部材の前記第１の穴に配置され、前記ボルトが前記パレットと係合して前記アンカーが前記パレットの溝内で移動することを防止する固定位置と、前記ボルトが移動し、前記パレットを解放して前記アンカーが溝内で滑動することを可能にする非固定位置との間で前記ボルトを付勢するばねと、を含むアンカーと、
前記カーゴネットの開口部と前記ベース部材の前記第３の穴との周囲に固定する自動固定式の保持リングと、
前記ボルトが前記固定位置にある場合、前記ボルトの前記第４の穴及び前記ベース部材の前記第２の穴を通って延び、前記ボルトが前記固定位置から前記非固定位置に移動することを防止する自動固定式のケーブルタイと、を含む、カーゴネットをパレットに固定する固定部材。
【請求項１２】
前記ボルトが前記固定位置にある場合、前記ボルトの前記第４の穴は、前記ベース部材の前記第２の穴と一列に整列する、請求項１１に記載の固定部材。
【請求項１３】
前記ボルトが前記非固定位置にある場合、前記第１の穴内の前記ばねは圧縮位置にあり、前記ボルトが前記固定位置にある場合、第１の穴内のばねは非圧縮位置にある、請求項１１に記載の固定部材。
【請求項１４】
前記アンカーは、前記ばねの一端が前記第１の穴の上端と係合し、前記ばねの他端が前記ピンに対して係合するように、前記ボルトの第５の穴を通って嵌合するピンをさらに含む、請求項１１に記載の固定部材。
【請求項１５】
前記ボルト、前記ばね及び前記ベース部材は、前記アンカーを破壊しなければ分離又は取り外しできないように互いに嵌合される、請求項１４に記載の固定部材。
【請求項１６】
前記ケーブルタイが結束された後、前記ケーブルタイを破壊しなければ、前記ボルトと前記ベース部材とを分離することができない、請求項１１に記載の固定部材。
【請求項１７】
カーゴネットをパレットに固定する方法であって、
第１の穴と第２の穴とを有するネック、第３の穴を有する本体、及び前記パレットに形成された溝に滑り込む２つの足を有するベース部材と、
ヘッド及び前記ヘッドから外向きに延びて、前記ネックを受容する間隙を形成する２つの平行な突起部を有し、各前記突起部に第４の穴を有するボルトと、
前記ネックの前記第１の穴内に配置され、前記ベース部材が前記溝内で滑動することを防止する固定位置と前記ベース部材が前記溝内で滑動する非固定位置との間で前記ボルトを付勢するばねと、
を含む、前記パレットと係合するためのアンカー
を含む固定部材を提供することと、
前記カーゴネットと前記ベース部材の前記本体の前記第３の穴の両方に固定する保持リングを提供することと、
前記ベース部材の前記第２の穴と前記ボルトの前記第４の穴を通って嵌合し、前記ボルトが前記固定位置から前記非固定位置に移動することを防止するケーブルタイを提供することと、を含む方法。
【請求項１８】
前記アンカーは、前記ばねの一端が前記第１の穴の上端に当接し、前記ばねの他端が前記ピンに当接するように、前記ボルトの第５の穴を通って嵌合するピンをさらに含み、前記第１の穴の底端は、前記ボルトが前記固定位置にある場合に前記ピンを受容するための凹部を有し、前記ボルト、前記ばね及び前記ベース部材は、アンカーを破壊しなければ分離又は取り外しできないように互いに嵌合される、請求項１７に記載の方法。
【請求項１９】
前記ケーブルタイが結束された後、前記ケーブルタイを破壊しなければ、前記ボルトと前記ベース部材とを分離することができない、請求項１７に記載の固定部材。
【請求項２０】
前記２つの平行な突起部の各々は、前記ボルトが前記固定位置にある場合、各外壁が前記パレットと係合して前記アンカーが前記パレットの溝内で移動することを防止し、前記ボルトが前記非固定位置にある場合、各外壁が前記パレットを解放して前記アンカーが溝内で滑動することを可能にするように、外向きに突出する外壁を有する、請求項１７に記載の固定部材。
【発明の詳細な説明】
【技術分野】
【０００１】
本発明は、貨物を固定する方法及びシステムに関し、特に、輸送中の貨物への接近を防止するための方法及びシステムに関する。
【背景技術】
【０００２】
貨物輸送のために貨物を固定する従来の方法及びシステムは、通常、パレット上に貨物を固定するために、帯状物のネットを使用する。これは、輸送中に安全上の問題を引き起こす可能性がある。
【発明の概要】
【発明が解決しようとする課題】
【０００３】
前述の背景に鑑みて、貨物輸送のための安全な代替システムを提供することが目的である。
【課題を解決するための手段】
【０００４】
したがって、一態様では、１つの例示的な実施形態は、カーゴネットをパレットに固定する固定部材（係止部材）であり、固定部材は、アンカーであって、第１の穴及び第２の穴を有するネック、第３の穴を有する本体、及びパレットに形成された溝に滑り込む２つの足を有するベース部材と、ヘッド及びヘッドから外向きに延びてネックを受容する間隙を形成する２つの平行な突起部を有し、各突起部に第４の穴を有するボルトと、ネックの第１の穴内に配置され、ベース部材が溝内で滑動することを防止する固定位置（ロックされている位置、係止位置）とベース部材が溝内で滑動する非固定位置（固定されていない位置、ロックされていない位置、係脱位置）との間でボルトを付勢するばねと、を含むアンカーと、カーゴネットとベース部材の本体の第３の穴の両方に係止する保持リングと、ベース部材の第２の穴とボルトの第４の穴を通って嵌合し、ボルトが固定位置から非固定位置に移動することを防止するケーブルタイと、を含む。
【図面の簡単な説明】
【０００５】
【図１ａ】図１ａは、例示的な実施形態による、カーゴネットをパレットに固定する固定部材の斜視図である。
【図１ｂ】図１ｂは、例示的な実施形態による、図１ａの破線の円の拡大部分図である。
【図２ａ】図２ａは、例示的な実施形態による、固定位置にあるアンカーの斜視図を示す。
【図２ｂ】図２ｂは、例示的な実施形態による、非固定位置にあるアンカーの斜視図を示す。
【図３】図３は、例示的な実施形態による、アンカーの分解図を示す。
【図４】図４は、例示的な実施形態による、保持リングの斜視図を示す。
【図５】図５は、例示的な実施形態による、ケーブルタイの斜視図を示す。
【図６】図６は、例示的な実施形態による、カーゴネットをパレットに固定するための方法を示す。
【発明を実施するための形態】
【０００６】
ここで、図１ａを参照すると、例示的な実施形態は、カーゴネット１１０をパレット１２０に固定する固定部材１３０に関する。貨物は、パレット１２０上に配置され、カーゴネット１１０で覆われる。
【０００７】
カーゴネット１１０は、輸送中の転位を防止すると同時に、盗難も防止するためのネットである。カーゴネットは、様々なサイズ及び形状を有することができ、様々なサイズ及び形状の穴を含むことができる。１つの例示的な実施形態では、カーゴネット１１０は、異物の貨物への接近を防止する穴を含む。１つの例示的な実施形態では、カーゴネット１１０は、ポリエステル製であり、穴のサイズは、約１ｃｍ×１ｃｍである（異なるサイズの穴を使用することもできる）。複数の開口１１１は、カーゴネット１１０の周辺又は縁部に配置されている。各固定部材１３０は、開口１１１のうちの１つに結合するようになされており、そして、貨物の下のパレット１２０に形成された溝１２１に固定するようにもなされている。
【０００８】
例示的な実施形態では、縦方向弾性バンド１１２は、縦縁部の底部コーナーから中央部まで実質的に垂直に延びている。縦方向弾性バンドのこの方向付けは、カーゴネット１１０が貨物の高さ及び形状の範囲に適応することを可能にする。２つの横方向弾性バンド１１３は、２つの横方向縁部の底部コーナーから１／３の位置まで実質的に水平に延びている。３つの弾性バンドはそれぞれ、底部コーナーの３つの縁部を横切って伸びており、それによって貨物がコーナーの周囲にしっかりと固定され、異物がそこを通って挿入されるのを防止している。
【０００９】
さらに図１ｂを参照すると、溝１２１は、複数のネック部１２２及び開口部１２３を含む。ネック部１２２及び開口部１２３は、図示のように、半円形及び直線状の繰り返しパターンで溝１２１の周囲に分布している。開口部は、溝の幅と同じ幅を有する。ネック部は、内向きに狭くなっている溝の上部を有する。
【００１０】
１つの例示的な実施形態において、貨物輸送中に、貨物はパレット１２０上に載せられて、従来のネットカバー及びカーゴネット１１０の両方によって覆われる。従来のネットカバーは、貨物を適所に保持するために使用され、大きな開放領域を含む、従来の布帯のネットであってもよい。カーゴネット１１０は、従来のネットカバーの内側にあっても外側にあってもよい。カーゴネットの微細穴は、貨物が覆われていても、ユーザが内側のカーゴを見ることができることを確実にする。当業者であれば、貨物は、従来のネットカバーの有無に関わらず、カーゴネットで固定できることを理解するであろう。
【００１１】
図示のように、固定部材１３０は、カーゴネット１１０をパレット１２０に係止又は固定するように設けられる。固定部材１３０のベース部材１４１は、溝１２１に係合する。保持リング１３１は、カーゴネット１１０の開口１１１とベース部材１４１の穴の両方に固定する。ケーブルタイ１３２は、ベース部材１４１の穴及びボルト１５１の穴を通って嵌合し、ボルト１５１が固定位置から非固定位置に移動することを防止する。固定位置では、固定部材１３０はパレット１２０上に固定され、固定アセンブリ又はパレット１２０を破壊しても取り外すことができない。
【００１２】
１つの例示的な実施形態では、ボルト、ばね及びベース部材は、固定部材を破壊しなければ分離又は取り外しできないように互いに嵌合されている。
【００１３】
図２ａは、固定位置１３４にあるアンカー１３３の斜視図を示す。固定位置では、ベース部材１４１が溝内で滑動することが防止される。
【００１４】
図２ｂは、非固定位置１３５にあるアンカー１３３の斜視図を示す。非固定位置では、ベース部材は、溝内で滑動することができる。
【００１５】
１つの例示的な実施形態では、２つの平行な突出部１５３は、外向きに突出する外壁１５７を含む。図２ｂに示す非固定位置にある場合、ヘッド１５２に外力が加えられると、ボルト１５１はベース部材１４１から上に移動し、外壁１５７は溝を解放するので、足１４７は、溝の開口部に嵌合することができ、ネック１４２は、ネック部に嵌合することができる。次に図１ｂを参照すると、アンカー１３３は、溝１２１に対して取り外し可能であり、溝１２１に沿って滑動することができる。足がネック部１２２に滑動し、ネックが開口部１２３に滑動する場合、外力が解消され、ボルト１５１が固定位置に戻る。外壁は、アンカー１３３がパレット１２０に沿って移動することを防止するように、溝１２１の開口部１２３と係合する。ネック部の足は、アンカー又は溝を破壊することなく、アンカーがパレット１２０の溝１２１から取り外されることを防止する。１つの実施形態において、外壁の幅は、溝の幅と同じである。
【００１６】
図３は、アンカー１３３の分解図を示す。アンカー１３３は、ベース部材１４１と、ボルト１５１と、ばね１６１と、ピン１７１とを有する。ベース部材１４１は、第１の穴１４３及び第２の穴１４４を有するネック１４２と、第３の穴１４６を有する本体１４５と、パレット１２０に形成された溝１２１に滑り込む少なくとも２つの足１４７とを有する。ボルト１５１は、ヘッド１５２と、ヘッドから外向きに延びる２つの平行な突出部１５３とを有する。平行な突出部１５３の各々は、第４の穴１５５を有する。２つの平行な突出部１５３は、ネック１４２を受容する間隙１５４を形成する。ネック１４２は、溝１２１のネック部１２２に嵌合する幅を有する。足１４７は、溝１２１の開口部に嵌合するが、ネック部１２２の幅よりも狭い幅を有する。このようにして、足がネック部に位置している場合に、溝又はアンカーを破壊しなければアンカー１３３は取り外すことができない。
【００１７】
また図３を参照すると、ばね１６１は、ネック１４２の第１の穴１４３内に配置される。ばね１６１は、ボルト１５１を固定位置１３４と非固定位置１３５との間で付勢する。ピン１７１は、ばね１６１の一端が第１の穴１４３に隣接する上端１４８に対して係合し、ばね１６１の他端がピン１７１に対して係合するように、ボルトの第５の穴１５６を通って嵌合する。
【００１８】
１つの例示的な実施形態では、ボルト１５１、ばね１６１及びベース部材１４１は、アンカー１３３を破壊しなければ分離又は取り外しできないように互いに接続する。１つの例示的な実施形態では、第１の穴の下端は、ボルトが固定位置にあるときにピンを受容するための凹部を有する。１つの例示的な実施形態では、ベース部材は、二対のガード１４９をさらに含む。一対のガードがベース部材の先端に位置し、他方の一対がネックと第３の穴１４６との間に位置する。二対のガード１４９は、ベース部材がボルトに対して前後に滑動することを防止する。さらに、ネック１４２及び間隙１５４は、数対のガードの幅よりも狭い幅を有する。このように、ガードは、ボルト１５１とばね１６１とベース部材１４１との間の接続を、薄い異物によって挿入され破壊されることから保護する。
【００１９】
１つの例示的な実施形態では、ボルトが固定位置１３４にある場合、ボルトの第４の穴１５５は、ベース部材１４１の第２の穴１４４と一列に整列する。その後、ケーブルタイ１３２は、ベース部材１４１の第２の穴１４４及びボルト１５１の第４の穴１５５を通って嵌合することができる。ケーブルタイ１３２は、ボルト１５１とベース部材１４１とを一体に固定し、ボルト１５１が固定位置１３４から非固定位置１３５に移動することを防止する。ケーブルタイが結束された後、ケーブルタイを破壊しなければ、ボルトとベース部材とを分離することはできない。
【００２０】
１つの例示的な実施形態では、図３に示すように、ばね１６１は、側面視で長方形の形状である。ベース部材１４１の第１の穴１４３も、側面視で長方形の形状であり、ばねの長方形の形状は、第１の穴１４３の長方形の形状内に嵌合する。
【００２１】
１つの例示的な実施形態では、ばねは、ボルトが固定位置にある場合、非圧縮位置にある。外力により、ばねは、圧縮位置にあり、ボルト１５１をベース部材１４１から離れさせて非固定位置に付勢する。
【００２２】
１つの例示的な実施形態では、図４は、ピボット又はヒンジ付き端部３０２で枢動可能に接続された２つの半リング３０１を含む保持リング１３１を示す。一方の半リングの１つの自由端は、ボア３０３を含み、他方の半リングの１つの自由端は、ヘッド部３０４を含む。ヘッド部３０４は、ボア３０３内に取り付けることができる。
【００２３】
１つの例示的な実施形態では、保持リングは自動固定式であり、保持リングを破壊しなければ係脱することができない。例えば、２つの端部が互いに接続されると、それらは、保持リングを破壊しなければ取り外すか又は分離することができない。
【００２４】
１つの例示的な実施形態では、図５は、ケーブルタイの可撓性テープ部分４０１及びヘッド４０３を含むケーブルタイ１３２を示す。テープ部分の自由端が引っ張られると、ケーブルタイが締まるように、可撓性テープ部分４０１は、ヘッド４０３の爪４０２と係合してラチェットを形成する。
【００２５】
１つの例示的な実施形態では、ケーブルタイ１３２は、自動固定式であり、ケーブルタイを破壊しなければ係脱することができない。１つの例示的な実施形態では、各ケーブルタイは、１つのアンカーのみを固定できる長さを有する。したがって、各ケーブルタイは、単一のアンカーに固定する。各固定部材は、それ自身のケーブルタイと保持リングを含むので、個々の固定部材は、パレットとカーゴネットに固定した他の固定アセンブリを妨害したり、関与したりすることなく、カーゴネットとパレットから取り外すか又は交換することができる。
【００２６】
ここで、図６を参照すると、本発明の１つの例示的な実施形態では、上述した固定部材を使用する方法が提供される。
【００２７】
ブロック５０１は、第１の穴及び第２の穴を有するネック、第３の穴を有する本体、及びパレットに形成された溝に滑り込む２つの足を有するベース部材と、ヘッド及びヘッドから外向きに延びて、ネックを受容する間隙を形成する２つの平行な突起部を有し、各突起部に第４の穴を有するボルトと、ネックの第１の穴内に配置され、ベース部材が溝内で滑動することを防止する固定位置とベース部材が溝内で滑動する非固定位置との間でボルトを付勢するばねと、を含む、パレットと係合するためのアンカーを含む固定部材を提供することを表す。
【００２８】
１つの例示的な実施形態では、溝は、複数のネック部及び開口部を含む。ネック部は、内向きに狭くなる溝の上部を有する。ヘッドに外力が加えられると、ボルトはベース部材から上に移動し、溝を解放する。この位置では、足は、溝の開口部に嵌合することができ、ネックは、溝のネック部に嵌合することができる。アンカーは、溝に対して取り外し可能であり、溝に沿って滑動することができる。足がネック部に滑動し、ネックが開口部に滑動する場合、外力が解消される。ボルトは、アンカーが溝に沿って移動することを防止するように、後方に移動し、開口部と係合する。ネック部の足は、アンカー又は溝を破壊することなくアンカーが溝から取り外されることを防止する。
【００２９】
ブロック５０２は、カーゴネット及びベース部材の本体の第３の穴の両方に係止する保持リングを提供することを表す。
【００３０】
１つの例示的な実施形態では、保持リングは、端部が互いに固定されるときに互いに永久的に接続する２つの半リングを有する。一方の半リングは、カーゴネット及び第３の穴を通って、他方の半リングの端部で固定する。自動固定式の保持リングは、保持リングを破壊しなければ係脱することができない。
【００３１】
ブロック５０３は、ベース部材の第２の穴及びボルトの第４の穴を通って嵌合し、ボルトが固定位置から非固定位置に移動することを防止するケーブルタイを提供することを表す。
【００３２】
ボルトが固定位置にある場合、ボルトの第４の穴は、ベース部材の第２の穴と一列に整列する。１つの例示的な実施形態では、ケーブルタイは、可撓性テープ部分と、爪を有するヘッドとを含む。可撓性テープ部分は、第２の穴及び第４の穴を通って嵌合する。このようにして、ボルトがベース部材から上に移動することを防止する。
【００３３】
１つの例示的な実施形態では、アンカーは、ボルト上の第５の穴を通って嵌合するピンをさらに含む。ばねの一端は、第１の穴に隣接する上端に対して係合し、ばねの他端は、ピンに対して係合する。１つの例示的な実施形態では、第１の穴の下端は、ボルトが固定位置にあるときにピンを受容するための凹部を有する。ボルト、ばね及びベース部材は、アンカーを破壊しなければ分離又は取り外しできないように互いに嵌合される。
【００３４】
１つの例示的な実施形態では、ケーブルタイが結束された後、ケーブルタイを破壊しなければボルトとベース部材とを分離することはできない。
【００３５】
１つの例示的な実施形態では、ボルトの２つの平行な突出部の各々は、外向きに突出する外壁を有する。ヘッドに外力が加えられると、外壁は溝を解放する。このようにして、足は、溝の開口部に嵌合することができ、ネックは、溝のネック部に嵌合することができる。アンカーは、溝に対して取り外し可能であり、溝に沿って滑動することができる。足がネック部に滑動し、ネックが開口部に滑動する場合、外力が解消される。ボルトは、固定位置にあり、外壁は、溝と係合するので、アンカー又は溝を破壊することなくアンカーが溝に沿って移動すること、又は溝から取り外されることが防止される。
【００３６】
１つの例示的な実施形態では、固定部材１３０は所定のセットで提供され、各個々の保持リング１３１、ケーブルタイ１３２及びアンカー１３３は、ユーザ又は機械により固定部材１３０が所定のセットに属するか否かを識別するための同一の識別装置を有する。この識別装置は、シリアル番号、バーコード、ＲＦＩＤ、又はユーザが人間の目を使用するか又は特定の機械を介して識別することを可能にする他の識別装置とすることができる。
【００３７】
本明細書で使用するとき、「貨物」は、船、陸上、又は航空機で運搬される商品又は生産物である。
【００３８】
本明細書で使用するとき、「パレット」は、フォークリフト、パレットジャッキ、フロントローダ、ワークセーバ、又は他の持ち上げ装置、又はクレーンによって持ち上げられながら、貨物を安定した方法で支持する平坦な輸送構造である。
【００３９】
以上、本発明の実施形態について完全に説明した。説明は特定の実施形態を参照したが、本発明がこれらの具体的な詳細を変形して実施されてもよいことは、当業者にとって明らかであろう。したがって、本発明は、本明細書に記載の実施形態に限定されると解釈されるべきではない。
【図１ａ】
2021502311.tif 000003
【図１ｂ】
2021502311.tif 000004
【図２ａ】
2021502311.tif 000005
【図２ｂ】
2021502311.tif 000006
【図３】
2021502311.tif 000007
【図４】
2021502311.tif 000008
【図５】
2021502311.tif 000009
【図６】
2021502311.tif 000010
【国際調査報告】
2021502311.tif 000011
2021502311.tif 000012